(57)【要約】【課題】  ランプシェードを外筒と内筒とから構成し、外筒と内筒との間の空間が下方に開放され、ランプからの光の一部が間接光として空間から下方に向けて放射され、または外筒孔からも外部に放射される照明装置を提供する【解決手段】  外筒１１１と内筒１１２とからなり、外筒と内筒との間に下方で外部に開放する空間１１３を有するランプシェード１１と、ランプを有するランプユニット１２と、ランプシェード１１をランプユニット１２に対し固定するための取り付け具と、を備えた照明装置であって、内筒１１１には複数の内筒孔Ｈ＿Ｉが設けられ、ランプユニット１２に取り付けられたランプからの光の一部が、間接光として、内筒孔Ｈ＿Ｉおよび空間１１３を介してランプシェードの下方に向けて放射される。【選択図】    図１
2015032400.tif 000002
【特許請求の範囲】
【請求項１】
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記内筒には複数の内筒孔が設けられ、
前記ランプユニットに取り付けられたランプからの光の一部が、間接光として、前記内筒孔および前記外筒と前記内筒との間の空間を介して前記ランプシェードの下方に向けて放射されることを特徴とする照明装置。
【請求項２】
前記内筒の下端が前記外筒の下端の位置以下に、または下端の位置より下に設定されていることを特徴とする請求項１に記載の照明装置。
【請求項３】
前記外筒には、前記複数の内筒孔とは重ならない位置に、模様を有する複数の外筒孔または模様を有する複数の外筒孔が設けられた請求項１に記載の照明装置であって、
前記ランプユニットに取り付けられたランプからの光の一部が、前記外筒と前記内筒との間の空間を介して、前記外筒孔から外部に放射されることを特徴とする照明装置。
【請求項４】
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記空間には少なくとも１つのサブランプ（蓄光素子でもよい）が設けられ、
前記サブランプからの光が、前記内筒孔および前記外筒と前記内筒との間の空間を介して前記ランプシェードの下方に向けて放射されることを特徴とする照明装置。
【請求項５】
前記内筒の下端が前記外筒の下端の位置以下に、または下端の位置より下に設定されていることを特徴とする請求項４に記載の照明装置。
【請求項６】
前記外筒には、前記サブランプとは重ならない位置に、複数の外筒孔が設けられた請求項４に記載の照明装置であって、
前記サブランプからの光の一部が、前記外筒と前記内筒との間の空間を介して、前記外筒孔から外部に放射されることを特徴とする照明装置。
【請求項７】
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記内筒の裾部分にのみ（前記内筒の上端が、前記ランプユニットに取り付けられたランプの最下端以下となるように）形成され、
前記ランプユニットに取り付けられたランプからの光の一部が、間接光として、前記外筒と前記内筒との間の空間を介して前記ランプシェードの下方に向けて放射されることを特徴とするランプシェード。
【請求項８】
前記内筒の下端が前記外筒の下端の位置以下に、または下端の位置より下に設定されていることを特徴とする請求項７に記載の照明装置。
【発明の詳細な説明】
【技術分野】
【０００１】
本発明は、ランプシェードが外筒と内筒とからなる構成された照明装置に関し、前記外筒と前記内筒との間の空間が下方に開放され、ランプからの光の一部が間接光として（または、サブランプからの光が）前記空間から下方に向けて放射され、または外筒孔からも外部に放射される照明装置に関する。
【背景技術】
【０００２】
机上ランプや吊下げランプに用いられるランプシェードは、通常、布、紙、合成樹脂、木材、ガラス、金属等から選ばれる単一素材、またはの組み合わせ素材により筒状に構成される。
これらの、ランプシェードには、色彩、デザインを施すことで装飾がなされる（特許文献１等参照）。
【先行技術文献】
【特許文献】
【０００３】
【特許文献１】特開２００６−２８６５９０
【発明の概要】
【発明が解決しようとする課題】
【０００４】
この種のランプシェードでは、側面から光を放射するために、本体の筒部に半透明部を設けなくてはならず、構成する材料種が多くなるという問題がある。
【０００５】
本発明の目的は上記の問題を解決するために提案されたものであり、ランプシェードを外筒と内筒とから構成し、前記外筒と前記内筒との間の空間が下方に開放され、ランプからの光の一部が間接光として（または、サブランプからの光が）前記空間から下方に向けて放射され、または外筒孔からも外部に放射される照明装置を提供することである。
【課題を解決するための手段】
【０００６】
本発明のランプシェードは、以下を要旨とする。
（１）
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記内筒には複数の内筒孔が設けられ、
前記ランプユニットに取り付けられたランプからの光の一部が、間接光として、前記内筒孔および前記外筒と前記内筒との間の空間を介して前記ランプシェードの下方に向けて放射されることを特徴とするランプシェード。
（２）
前記内筒の下端が前記外筒の下端の位置以下に、または下端の位置より下に設定されていることを特徴とする（１）に記載の照明装置。
（３）
前記外筒には、前記複数の内筒孔とは重ならない位置に、複数の外筒孔が設けられた（１）に記載の照明装置であって、
前記ランプユニットに取り付けられたランプからの光の一部が、前記外筒と前記内筒との間の空間を介して、前記外筒孔から外部に放射されることを特徴とする照明装置。
（４）
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記空間には少なくとも１つのサブランプ（蓄光素子でもよい）が設けられ、
前記サブランプからの光が、前記内筒孔および前記外筒と前記内筒との間の空間を介して前記ランプシェードの下方に向けて放射されることを特徴とするランプシェード。
（５）
前記内筒の下端が前記外筒の下端の位置以下に、または下端の位置より下に設定されていることを特徴とする（４）に記載の照明装置。
（６）
前記外筒には、前記サブランプとは重ならない位置に、複数の外筒孔が設けられた（４）に記載の照明装置であって、
前記サブランプからの光の一部が、前記外筒と前記内筒との間の空間を介して、前記外筒孔から外部に放射されることを特徴とする照明装置。
（７）
外筒と内筒とからなり、前記外筒と前記内筒との間に下方で外部に開放する空間を有するランプシェードと、
ランプを有するランプユニットと、
前記ランプシェードを前記ランプユニットに対し固定するための取り付け具と、
を備えた照明装置であって、
前記内筒の裾部分にのみ（前記内筒の上端が、前記ランプユニットに取り付けられたランプの最下端以下となるように）形成され、
前記ランプユニットに取り付けられたランプからの光の一部が、間接光として、前記外筒と前記内筒との間の空間を介して前記ランプシェードの下方に向けて放射されることを特徴とするランプシェード。
（８）
前記内筒の下端が前記外筒の下端の位置以下に、または下端の位置より下に設定されていることを特徴とする（７）に記載の照明装置。
【０００７】
本発明は、吊り下げ式、スタンド式等、筒状のランプシェードを備えたの照明装置に適用される。
外筒および内筒は可撓性の合成樹脂から構成することができ、単積の他、白色シート等との積層体とすることもできる。
ランプシェードの外筒および内筒は、円筒に形成したが三角以上の多角柱状の筒とすることができる。
外筒孔、内筒孔は、円形、多角形等の種々の形状が採用できる。
ランプユニットとして、ＬＥＤランプが採用できる。
【発明の効果】
【０００８】
本発明によれば、透明パネルを使用しなくても、ランプシェード側面から光を放射することができる。
【図面の簡単な説明】
【０００９】
【図１】図１は本発明の照明装置の第１実施形態の電源装置の外観を示す図である。
【図２】図２は本発明の照明装置の第１実施形態の電源装置の作用を示す説明図である。
【図３】図３は本発明の照明装置の第２実施形態の電源装置の外観を示す図である。
【図４】図４は本発明の照明装置の第２実施形態の電源装置の作用を示す説明図である。
【図５】図５は、第２実施形態で使用したランプシェードおよび取り付け具の分解図である。
【図６】図６は、第２実施形態で使用したランプシェードおよび取り付け具の展開図である。
【図７】図７は本発明の照明装置の第３実施形態の電源装置の外観を示す図である。
【図８】図８は本発明の照明装置の第３実施形態の電源装置の作用を示す説明図である。
【図９】図９は本発明の照明装置の第４実施形態の電源装置の外観を示す図である。
【図１０】図１０は本発明の照明装置の第４実施形態の電源装置の作用を示す説明図である。
【図１１】図１１は本発明の照明装置の第５実施形態の電源装置の外観を示す図である。
【図１２】図１２は本発明の照明装置の第６実施形態の電源装置の作用を示す説明図である。
【図１３】図１３は第２実施系値蛙および第５実施形態における外筒孔に取り付ける装飾片を示す図であり、（Ａ）は平面状の装飾片を示す図、（Ｂ）は屈曲させたときの屈曲片を示す図である。
【発明を実施するための形態】
【００１０】
図１，図２は本発明の照明装置の第１実施形態を示す説明図である。
図１において、照明装置１は、ランプシェード１１と、ランプユニット１２と、取り付け具１３とを備えている。
【００１１】
ランプシェード１１は、外筒１１１と、内筒１１２とからなり、外筒１１１と内筒１１２との間に下方で外部に開放する空間１１３が形成されている。
内筒１１２には複数の内筒孔Ｈ＿Ｉが設けられている。図１では内筒１１２の下端が外筒１１１の下端の位置と同一位置に設定されている。外筒１１１および内筒１１２は、可撓性の合成樹脂板からなる。外筒１１１と内筒１１２の少なくとも一方の筒の内側には。白色膜または反射膜（たとえば金属膜）を積層させることができる。
【００１２】
ランプユニット１２はランプ１２１と電源回路を内蔵するランプソケット１２２とを含んでいる。
取り付け具１３は、ランプシェード１１をランプユニット１２に対し固定することができる。取り付け具１３の形状・構成は、種々のものが採用でき、本実施形態の吊り下げ型の照明装置では、後述するように（図５および図６参照）、板状に構成されている。
【００１３】
図２に示すように、ランプユニット１２に取り付けられたランプ１２１からの光の一部は、間接光（ＩＤＬ）として、内筒孔Ｈ＿Ｉおよび外筒１１１と内筒１１２との間の空間１１３を介してランプシェード１１の下方に向けて放射される。
【００１４】
図３，図４は本発明の照明装置の第２実施形態を示す説明図である。
図３では、外筒１１１には、内筒孔Ｈ＿Ｉとは重ならない位置に、複数の外筒孔Ｈ＿Ｏが設けられている。図３では、外筒孔Ｈ＿Ｏは円形の開口であるが、開口形状はこれに限定されないし、開口が模様を形成するように打ち抜かれていてもよい。
図４に示すように、ランプユニット１２に取り付けられたランプ１２１からの光の一部（ＳＬ）は、外筒１１１と内筒１１２との間の空間１１３を介して、外筒孔Ｈ＿Ｏからも放射される。
【００１５】
第２実施形態で使用したランプシェード１１および取り付け具１３の分解図を図５に示し、展開図を図６に示す。第１実施形態で使用したランプシェード１１および取り付け具１３は、外筒１１１に外筒孔Ｈ＿Ｏが形成されていないこと等を除き、第２実施形態で使用したランプシェード１１および取り付け具１３と同じなので、分解図および展開図は示さない。
【００１６】
図５および図６に示すように、取り付け具１３は円形の天板１３１からなり、天板１３１の中央には照明ユニット装着孔１３２が形成されている。天板１３の周囲の内側には３つの内筒取り付け用スリット１３３が形成されている。天板１３の周囲の外側には３つの外筒取り付け用突出部１３４が形成されている。内筒取り付け用スリット１３３には内筒１１２の上部に設けた内筒取り付け爪１１４が嵌め込まれ、外筒取り付け用突出部１３４は外筒１１１に空けられた取り付け孔１１３に嵌め込まれる。
【００１７】
なお、図６の展開図に示すように、展開した外筒１１１および内筒１１２の左右の突合せ部には、それぞれ結合片Ａと切り欠きＢが形成され、結合片Ａと切り欠きＢとを組むことで、展開した外筒１１１および内筒１１２は円筒状に形成される。
【００１８】
図７，図８は本発明の照明装置の第３実施形態を示す説明図である。
図７では、内筒３１２の裾部分にのみ（内筒３１２の上端が、ランプユニット１２に取り付けられたランプ３２１の最下端以下となるように）形成され、ランプユニット３２に取り付けられたランプ３２１からの光の一部が、間接光として、外筒３１１と内筒３１２との間の空間３１３を介してランプシェード３１の下方に向けて放射される。本実施形態では、図７では内筒３１２はスペーサ３４により外筒３１１に支持されている。
【００１９】
図９は本発明の照明装置の第４実施形態を示す説明図である。
図９において、照明装置４は、ランプシェード４１と、ランプユニット４２と、取り付け具４３とを備えている。
ランプシェード４１は、外筒４１１と、内筒４１２とからなり、外筒４１１と内筒４１２との間に下方で外部に開放する空間４１３が形成されている。
ランプユニット４２はランプ４２１と電源回路を内蔵するランプソケット４２２とを含んでいる。
取り付け具４３はランプシェード４１をランプユニット４２に対し固定することができる。
【００２０】
図１０に示すように、空間４１３には複数のサブランプ４４（ＬＥＤからなる）が設けられている。ラサブランプ４４の電力は電線４４１を介してランプユニット４２から供給される。
サブランプ４４からの光が、外筒４１１と内筒４１２との間の空間を介してランプシェード４１の下方に向けて放射される。
【００２１】
図１１は本発明の照明装置の第５実施形態を示す説明図である。
図１１では、外筒１１１には、サブランプ４４とは重ならない位置に、複数の外筒孔Ｈ＿Ｏが設けられている。
図１２に示すように、サブランプ４４からの光の一部は、外筒４１１と内筒４１２との間の空間４１３を介して、外筒孔Ｈ＿Ｏから外部に放射される。
【００２２】
本発明では、図１３は第２実施系値蛙および第５実施形態における外筒孔Ｈ＿Ｏに、図１３（Ａ）に示す爪５を備えた装飾片５を取り付けることができる。
本実施形態では、装飾片５は可撓性合成樹脂からなり、図１３（Ｂ）に示すように屈曲させたときの復帰力により、装飾片５は爪５１により外筒孔Ｈ＿Ｏに取り付けられる。
【符号の説明】
【００２３】
１，３，４  照明装置
１１，３１，４１  ランプシェード
１２，３２，４２  ランプユニット
１３，３３，４３  取り付け具
４４  サブランプ
１１１，３１１，４１１  外筒
１１２，３１２，４１２  内筒
１１３，３１３，４１３  空間
１３１，３３１  天板
１３２  照明ユニット装着孔
１３３  内筒取り付け用スリット
１３４  外筒取り付け用突出部
４４１  電線
５  装飾片
５１  爪
Ｈ＿Ｉ  内筒孔
Ｈ＿Ｏ  外筒孔
Ａ  結合片
Ｂ  切り欠き
【図１】
2015032400.tif 000003
【図２】
2015032400.tif 000004
【図３】
2015032400.tif 000005
【図４】
2015032400.tif 000006
【図５】
2015032400.tif 000007
【図６】
2015032400.tif 000008
【図７】
2015032400.tif 000009
【図８】
2015032400.tif 000010
【図９】
2015032400.tif 000011
【図１０】
2015032400.tif 000012
【図１１】
2015032400.tif 000013
【図１２】
2015032400.tif 000014
【図１３】
2015032400.tif 000015